(57)【特許請求の範囲】
【請求項１】
第１および第２のフックを有する本体と、
前記本体に取り付けられる尾部と、を備え、前記尾部が、前記第１および第２のフックに取り付くように構成され、前記第１のフックが、第１の方向における突出部を有し、前記第１の方向が、前記本体の第１の側に向き、前記第２のフックが、第２の方向における第２の突出部を有し、前記第２の方向が、前記本体の第２の側の方向であり、前記本体の前記第１の側が、前記本体の前記第２の側に対向し、
前記尾部が、第１、第２、および第３の切欠きを含み、前記第１、第２、および第３の切欠きが、前記第１および第２のフックが前記尾部を掛合するための領域を提供し、
前記調節可能取付け具が、第１の形態および第２の形態を有するように構成され、
前記第１の形態では、
前記第１の側が第１の物体に係合し、
前記尾部が前記第１の物体に巻き付いて前記第１のフックに係合し、
前記第２の側が第２の物体に係合し、
前記尾部が前記第２の物体に巻き付いて前記第２のフックに係合して、
前記第１および第２の物体が前記調節可能取付け具により一緒に保持されることを特徴とし、
前記第２の形態では、
前記尾部が前記第１および第２のフックに係合せずに、
前記第１および第２の物体が一緒に保持されず、前記調節可能取付け具が当該第１および第２の物体から解放されている、ことを特徴とする、調節可能取付け具。
【請求項２】
前記第２の切欠きが、前記尾部が前記フックと係合されたときに前記調節可能取付け具が保持するデバイスの操作を妨げないように位置決めされる、請求項１に記載の調節可能取付け具。
【請求項３】
前記第２の切欠きが、前記尾部が前記フックと係合されたときに前記調節可能取付け具が保持する電子デバイスのタッチメニューインタフェースと一致するように位置決めされる、請求項１に記載の調節可能取付け具。
【請求項４】
前記本体の前記第１の側が、半円形起伏部を有する、請求項１に記載の調節可能取付け具。
【請求項５】
前記半円形起伏部が、自転車のハンドルバーと適合するように構成される、請求項４に記載の調節可能取付け具。
【請求項６】
前記尾部の一端が、把持に適した突出部を含む、請求項１に記載の調節可能取付け具。
【請求項７】
前記本体の前記第２の側が、把持のための溝形模様を含む、請求項１に記載の調節可能取付け具。
【請求項８】
前記尾部が、前記第１の形態にあるときに伸長して前記第１および第２の物体に張力を加えるように構成される、請求項１に記載の調節可能取付け具。
【請求項９】
前記本体が、第３および第４の側を含み、前記第１のフックが前記第３の側から突出し、前記第２のフックが前記第４の側から突出する、請求項１に記載の調節可能取付け具。
【請求項１０】
前記本体の前記第１および第２の側が、前記本体の前記第３および第４の側に対してほぼ垂直である、請求項９に記載の調節可能取付け具。
【請求項１１】
前記尾部が、前記本体の第４の側から突出する、請求項１０に記載の調節可能取付け具。
【請求項１２】
前記第３および第４の側が、前記本体上で互いに対向する、請求項１１に記載の調節可能取付け具。
【請求項１３】
前記尾部が、前記本体に２回巻き付くのに必要な長さ未満の長さを有する、請求項１２に記載の調節可能取付け具。
【請求項１４】
２つの物体を取り付ける方法であって、
調節可能取付け具を用意するステップと、
前記調節可能取付け具の第１の側上に第１の物体を配置するステップと、
前記調節可能取付け具の尾部を第１のフックまで前記第１の物体に巻き付けるステップと、
前記第１のフックを前記尾部と係合させるステップと、
前記調節可能取付け具の第２の側上に第２の物体を配置するステップと、
前記調節可能取付け具の前記尾部を第２のフックまで前記第２の物体に巻き付けるステップと、
前記第２のフックを前記尾部と係合させるステップと
を含む、方法。
【請求項１５】
前記第１および第２の物体への巻き付けおよび係合の一部として前記尾部を伸長させるステップ
をさらに含む、請求項１４に記載の方法。
【請求項１６】
電子デバイスである前記第２の物体のタッチインタフェースメニューへのアクセスを提供するための位置に前記尾部の切欠き領域があるように、前記切欠き領域を前記第２の物体上に位置決めするステップ
をさらに含む、請求項１４に記載の方法。
【請求項１７】
前記第１の側が、円筒形凹部を有し、円筒形状を受け入れるように構成される、請求項１４に記載の方法。
【発明の詳細な説明】
【背景技術】
【０００１】
タブレットやスマートフォン、ハンドヘルドコンピュータなどのモバイルコンピューティングデバイスの出現は、それらのデバイス固有の機能を拡張するための携帯可能で調節可能なアクセサリの必要性を示してきた。特に、一部には独立して開発されるアプリケーションの大規模な発展により可能とされるソフトウェアから見たそのような製品の多用途性を考えると、物理的なハードウェアは、そのような技術の有用性を妨げる限定要因であることが多い。
【０００２】
モバイルデバイスの使用者が直面する１つの具体的な課題は、それらの技術を「ハンズフリー」で使用することである。メディアを閲覧する場合のように、ハンズフリーでの使用は、理想的な体験であることが多い。しかし、ロバスト解の必要性は、「ハンズフリー」のユースケースが表面上に置かれた固定されたモバイルデバイスとは対照的にはるかに動的である場合に初めて強調される。例えば、スポーツでは、ハンズフリーデバイスの使用は、そのような技術を使用するための唯一の方法であることがしばしばである。それでもなお、そのような要求に対して、しっかりしていて、調節可能で、堅固で、かつ見た目に美しい解答を提供する解決法は、ほとんどない。
【発明の概要】
【発明が解決しようとする課題】
【０００３】
それでもなお、モバイルコンピューティングデバイスをしっかりと保持する製品が、異なるが同様にハンズフリーであるという消費者の必要性を解決しうる場合は多く存在する。一例として、消費者が自らの自転車のハンドルバーに自らのスマートフォンを取り付けることを可能にする製品は、懐中電灯、または他の必要な装備部分品を保持するように構成されうる。したがって、２つのデバイスを安全かつ確実に合体させられるようにする多目的の取付け解決法が強く必要とされていることが明らかになる。
【課題を解決するための手段】
【０００４】
円筒形表面への取付けのための調節可能取付け具に関するシステムおよび方法の実施形態が、２つのデバイスまたは１つのデバイスと１つの表面とがしっかり接続されることを可能にする調節可能取付け具を含む。１つのそのようなユースケースでは、携帯電話機またはポータブルコンピューティングデバイスなどのデバイスが、自転車のハンドルバーなどの円筒形表面あるいは別の丸い物体に取り付けられうる。代替的実施形態では、そのような表面が平坦でありうるか、または、取り付けられる物体がはるかに大きいかもしくはより複雑でありうる。デバイスの弾性巻き付き機能性は、この多用途性を可能にする最良のものであり、この調節可能性は、独特のものである。さらに、調節可能取付け具のサイズの小ささ、製造および使用の両方の観点から見た調節可能取付け具の単純さ、ならびに調節可能取付け具が２つのデバイスをしっかり接続する機構は、他の重要な差別化要因である。
【０００５】
調節可能取付け具の実施形態は、様々なサイズの様々な製品（本明細書においてはデバイス（ｄｅｖｉｃｅｓ、ｄｅｖｉｃｅ）と呼ばれる）とともに使用するために拡縮されうるが、見やすくするために、添付の実施形態および説明は、モバイルコンピュータ、スマートフォン、懐中電灯などを含むがこれらに限定されない小スケールのデバイスを取り付ける調節可能取付け具の能力に焦点を合わせる。さらに、調節可能取付け具の実施形態は、平坦な表面、大型の物体、または円筒形構成要素を含む様々な表面選択肢（本明細書においては表面と呼ばれる）に接続するように設計される。しかし、本開示は、調節可能取付け具の実施形態の機能性をよりよく伝えるために、表面は小型の円筒形表面であると見なす。
【０００６】
調節可能取付け具の実施形態は、成形、機械的接続、または単一の結合したユニットを作るための類似の製造工程を介して組み合わせられた２つの部品から構成される。したがって、調節可能取付け具の実施形態は、単一のものであり、その全体的な機能性を損なうことなしには、その構成要素片に分解されえない。この単純さは、いくつかの理由から望しいとされうる。それは、構成するための構成要素の数がより少ないことを考えれば、製品による使用者の体験を高める。単純さにより、必要とされる製造工程および構成要素がより少なくなり、それにより、全体的な製造コストが単純化されかつ削減される。壊れる構成要素が少数であるので、デバイスの全体的な耐久性が向上される。それに加えて、この設計は、見た目に美しいのみならず製造の観点から見てより手頃である、はるかに小型のフォームファクタを可能とする。
【０００７】
調節可能取付け具の実施形態を構成する２つの部品は、剛体インサート、および、シリコーン、ゴム、可撓性の熱可塑性プラスチックなどの可撓性材料から作られうる固体主本体である。このように、剛体インサートは、プラスチック、金属、または有機材料を含むがこれらに限定されない任意の様々な材料から作られてよく、また、押出し、成形、機械加工、またはここに記載されない他の工程などの任意の数の製造工程で製造されうる。代替的実施形態は、剛体インサートを含まず、その代わりに前述のインサートの役割を果たすために部品本体のいくつかの機械的態様に依存しうる。例えば、インサートが、部品本体が取り付けられるフックとして機能する場合がある。代替的バージョンでは、この同一の機能性は、インサートがない場合は、部品本体内だけで達成されうる。この「フック」機能性を達成するために、スロットおよびベルト、舌状部および溝、または任意の様々な他の機械的接続点が利用されうる。
【０００８】
調節可能取付け具の実施形態は、単一のユニットであるが、調節可能取付け具の実施形態の様々な態様を別々に明らかにするのに役立ちうる。部品の本体とは、部品が表面上に設置される箇所でありまたインサートが任意選択で差し込まれる箇所である、ユニットの区間を意味する。調節可能取付け具の実施形態の尾部とは、本体に接続された細長い付属部分を指し、その目的は、保持されるデバイスに巻き付くことである。剛体インサートは、インサートとして特定されるが、尾部を所定の位置に保持することがその主な役割のうちの１つであるので、前フックまたは後フックとしても言及されうる。部品とは、単一のユニットに組み合わせられた尾部、本体、およびインサートを指す。
【０００９】
調節可能取付け具の実施形態の有益な特徴は、表面にしっかり接続する調節可能取付け具の実施形態の能力、および、サードパーティのデバイスを安全に保持する能力を含む。上述のように、本設計の中心的側面は、広範なユースケースに対するその適応性である。したがって、広範な表面およびデバイスと部品とをより相互作用しやすくするために、いくつかの設計特徴が存在する。
【００１０】
表面への接続に際して、その取付けを生じさせうるいくつかの異なる選択肢が存在する。１つの実施形態では、尾部は、表面に巻き付いて、部品および表面の両方を接続する。場合によっては、この接続は、一時的なものであってデバイスおよび部品の両方の容易な取り外し可能にするので、理想的である。別の実施形態では、この接続は、ジップタイ、ストラップ、ねじ、ボルトなどを含むがこれらに限定されずかつ部品の本体を通して螺設または摺動されうる別体のハードウェアを使用して行われる場合がある。例えば、部品を平坦な表面に接続する場合、使用者は、部品を表面に締着するのにはねじを使用するのが最も簡単であると思うであろう。部品本体上のスロットが、このハードウェアの融通性に対応する。あるいは、使用者が盗難を心配する場合、使用者はストラップまたはジップタイの使用などのより恒久的な解決法を好むであろう。調節可能取付け具の実施形態は、この広範なユースケースに適応するように特に設計される。
【００１１】
添付の図面は、円筒形表面への取付けのための異なる技法を示す、調節可能取付け具の２つの異なる実施形態を明らかにする。一方（図１〜図５）は、表面に巻き付いて部品および表面を一緒に接続する尾部を含む。尾部は、最初にインサートの前部に掛合し、引き続きデバイスに巻き付いて、インサートの後フックに再び掛合する。本明細書において、尾部は、部品、デバイス、および表面を単一の機能ユニットに合体させる働きをする。他方の図面（図６〜図１０）は、同じく尾部がデバイスを部品に接続する実施形態を明らかにする。しかし、この体現形態では、部品は、外部表面への取付けのための４つのスロットを含む。これらのスロットは、ストラップまたはジップタイとの使用に合わせて最適化され、結果として部品の表面に差し込まれる。代替的設計では、これらのスロットは、ねじまたはボルトを使用するための皿頭穴として現れうる。さらに他の実施形態では、調節可能取付け具と表面との間の接続は、スナップ嵌め、または、適応性もしくは相補的な構成要素のいずれかとの整合性のために設計された異なる機械的接続とされうる。
【００１２】
デバイスを所定の位置に保持するために、調節可能取付け具の実施形態は、それ自体に巻き付き接続して、デバイスを所定の位置に挟持する。この単一片ストラップは、非常にしっかりした接続をもたらす。それはまた、巻き付く尾部が異なる幾何形状に対応するように容易に伸長しかつ曲がることができるので、非常に融通の利く接続をもたらす。上述のように、製品の単一片の構造は、いくつかの理由から有益である。しかし、別体の取り外し可能なストラップが好都合でありうる状況もある。例えば、モジュールで組み立てられたストラップシステムが、特定のまたは特殊なハードウェアとの使用に好都合でありうる。代替的実施形態では、尾部は、他のものと交換されうるように、もしくは状況の要求を満たすために適合されうるように、取り外し可能または調整可能とされうる。
【００１３】
さらに、上述の巻き付きシステムを生じさせる手段もまた、様々な形態をとりうる。１つの実施形態（添付の図面に示される）では、表面およびデバイスのどちらかまたは両方に巻き付く、本体に接続された単一の尾部が存在する。しかし、代替的実施形態では、この巻き付き機構は、２つの尾部、付属部分、または類似の固定機構に分けられうる。さらに、本開示は主に弾性尾部の使用に中心を置くが、代替的実施形態では、この取付けの手段は、剛体で、可撓性で、使用に際してデバイスに適合するものでもよく、または、デバイスを部品にまたは部品を表面に固定するために、任意の数の機構を利用してもよい。
【００１４】
同様に、部品の本体および全体としての部品は、デバイスを所定の位置に固定することの他に、多くの異なる機能を持つことができる。例えば、本体は、乗車追跡（自転車または類似の移動車両に取り付けられる場合にそうであろうように）、発光、ＧＥＰ（ジオイベントプロセッサ（Ｇｅｏ−Ｅｖｅｎｔ  Ｐｒｏｃｅｓｓｏｒ））追跡、ＧＰＳ追跡、デバイス監視、モバイル電力供給および蓄電、などを含むがこれらに限定されない様々な機能を果たすために、内部電子装置を含むように設計されうる。様々な異なる材料を利用することは、部品が追加の機能性を持ちうるための別の手段である。別の実施形態では、調節可能取付け具は、塗装されるか、発光材料もしくは「暗闇で光る」材料から作られ、それによって夜間でのより良好な使用を可能としうる。
【００１５】
部品が既存の表面およびデバイスと相互作用しうるためのいくつかの手段も存在する。例えば、部品は、特定の表面（ハンドルバーの特定の型式のような）または特定のデバイス（Ａｐｐｌｅ  Ｉｎｃによって製造されるｉＰｈｏｎｅ（登録商標）の特定の型式のような）に機械的に取り付くように特別に成形されうる。１つの実施形態では、本体は、部品が円筒形表面上に滑り込んで完全に取り囲むことを可能にする、円形の切欠きを伴いうる。あるいは、調節可能取付け具または部品は、円筒形への取付けのための位置決めをする１つまたは複数の手段を含みうる。これは、より広範な表面に対応するために角度調節または多様なスロット径を可能とする自己交差スロットの形態をとりうる。
【００１６】
別の形態では、本体は、デバイスを１つまたは複数の表面上に接触させるために、ディボット、くぼみ、または類似の特徴を含みうる。異なるバージョンでは、調節可能取付け具は、デバイスの保持に関与するサードパーティの部品に取り付けられうる。モバイルコンピューティングデバイスの場合、自然の力（ｔｈｅ  ｅｌｅｍｅｎｔｓ）からの保護を望むことが望まれることが多い。このため、ケース、スリーブ、および耐水または耐衝撃性のアクセサリの使用は、初期状態のコンピューティングデバイスに対する有益な補完手段であることが多い。開示された調節可能取付け具は、この周辺ハードウェアに対応するまたはそれを支持するために特別に設計された特徴を含む場合もあれば含まない場合もある。
【００１７】
調節可能取付け具の実施形態の有用な特徴は、その設計の融通性、ならびに実装およびユースケースの両方の観点から見たその適応性から得られる。部品または調節可能取付け具は、表面およびデバイスのどちらかまたは両方を調節可能取付け具と合体させられる無数の接続機構を提供する。このしっかりした接続は、調節可能取付け具の実施形態なしでは困難であるか不可能であろう広範な使用方法を可能としかつそれを強化する。
【００１８】
１つの実施形態では、調節可能取付け具が、第１および第２のフックを有する本体を含む。調節可能取付け具は、本体に取り付けられた尾部をさらに含み、尾部は、第１および第２のフックに取り付くように構成され、第１のフックは、第１の方向における突出部を有し、第１の方向は、本体の第１の側に向き、第２のフックは、第２の方向における突出部を有し、第２の方向は、本体の第２の側の方向であり、本体の第１の側は、本体の第２の側に対向する。場合により、尾部は、第１、第２、および第３の切欠きを含み、第１、第２、および第３の切欠きは、第１および第２のフックが尾部に掛合するための領域を提供する。あるいは、第２の切欠きは、尾部がフックと係合されたときに調節可能取付け具が保持するデバイスの操作を妨げないように位置決めされる。場合により、第２の切欠きは、尾部がフックと係合されたときに調節可能取付け具が保持する電子デバイスのタッチメニューインタフェースと一致するように位置決めされる。１つの構成では、本体の第１の側は、半円形起伏部を有する。別の構成では、半円形起伏部は、自転車のハンドルバーと適合するように構成される。場合により、調節可能取付け具は、第１の構成および第２の構成を有するように構成され、第１の構成は、第１の側が第１の物体に係合し、尾部が第１の物体に巻き付いて第１のフックに係合し、第２の側が第２の物体に係合し、尾部が第２の物体に巻き付いて第２のフックに係合して、第１および第２の物体が調節可能取付け具により一緒に保持されることを特徴とし、第２の構成は、尾部が第１および第２のフックに係合せずに、第１および第２の物体が一緒に保持されないことを特徴とする。あるいは、尾部の一端が、把持に適した突出部を含む。別の構成では、本体の第２の側は、把持のための溝形模様を含む。１つの代替形態では、本体は、締結具を用いて調節可能取付け具を表面に機械的に取り付けるためのスロットを含む。別の代替形態では、尾部は、第１の構成にあるときに伸長して第１および第２の物体に張力を加えるように構成される。場合により、本体は、第３および第４の側を含み、第１のフックは第３の側から突出し、第２のフックは第４の側から突出する。あるいは、本体の第１および第２の側は、本体の第４および第４の側に対してほぼ垂直である。別の構成では、尾部は、本体の第４の側から突出する。別の代替形態では、第３および第４の側は、本体上で互いに対向する。場合により、尾部は、本体に２回巻き付くのに必要な長さ未満の長さを有する。
【００１９】
１つの実施形態では、２つの物体を取り付ける方法が、調節可能取付け具を用意するステップと、調節可能取付け具の第１の側上に第１の物体を配置するステップとを含む。方法はさらに、調節可能取付け具の尾部を第１のフックまで第１の物体に巻き付けるステップと、第１のフックを尾部と係合させるステップとを含む。方法はさらに、調節可能取付け具の第２の側上に第２の物体を配置するステップと、調節可能取付け具の尾部を第２のフックまで第２の物体に巻き付けるステップと、第２のフックを尾部と係合させるステップとを含む。場合により、方法は、第１および第２の物体への巻き付けおよび係合の一部として尾部を伸長させるステップを含む。あるいは、方法は、電子デバイスである第２の物体のタッチインタフェースメニューへのアクセスを提供するための位置に切欠き領域があるように、尾部の切欠き領域を第２の物体上に位置決めするステップを含む。場合により、第１の側は、円筒形凹部を有し、円筒形状を受け入れるように構成される。
【００２０】
本明細書に組み込まれ本明細書の一部を構成する添付の図面は、調節可能取付け具の例示的な実施形態を示し、かつ、上記の一般説明および下記の詳細説明とともに、調節可能取付け具の特徴、原理、および方法を説明する役目を果たす。
【図面の簡単な説明】
【００２１】
【図１】円筒形表面への取付けのための調節可能取付け具の一実施形態を示す左側面図である。
【図２Ａ】図１に示された調節可能取付け具の一実施形態を示す上面図である。
【図２Ｂ】スマートフォンまたはポータブルコンピューティングデバイスなどのデバイスの配置を明らかにする、図２に示された取付け具の上面図である。
【図３Ａ】図３Ａは、図１に示された調節可能取付け具の正面図である。
【図３Ｂ】図３Ｂは、図３に示された調節可能取付けおよびデバイスの正面図である。
【図４】本体に取り付けられたデバイスおよび本体を表面に接続する別体のハードウェアの位置を明らかにする、図１におけるスタンドの開示による左側面図である。
【図５】デバイスを円筒形表面に固定するのに用いる調節可能取付け具の一実施形態を示す左側面図である。
【図６】表面に対する角度調整のための自己交差スロットを有する、調節可能取付け具の代替的実施形態の図である。
【図７Ａ】調節可能取付け具が円筒形表面に直角に据えられている、図６における実施形態の底面図である。
【図７Ｂ】円筒形表面が調節可能取付け具の向き配向平行に据えられた底面図である。
【図８Ａ】図８Ａは、図６と一致する調節可能取付け具の前方右側底面等角図である。
【図８Ｂ】図８Ｂは、図８Ａにおける実施形態と一致する後方上面右側等角図である。
【図９】ハンドヘルドコンピューティングデバイスなどの別体のデバイスの取付け位置を示す、図８Ａで明らかにされた実施形態の上面図である。
【図１０】ハンドヘルドコンピューティングデバイスとともに使用されかつ外部ハードウェアによって固定された、図９における実施形態の右側面図である。
【図１１Ａ】調節可能取付け具から独立した補強インサートの前方−右側底面図である。
【図１１Ｂ】図１１Ａの補強インサートの右側面図である。
【図１２】本明細書において開示される取付け具から独立した補強インサートの代替的実施形態の上面−右側−後方等角図である。
【図１３】円筒形表面上に係合された調節可能保持器の一実施形態の斜視図である。
【図１４】デバイス上に係合された調節可能保持器の一実施形態の斜視図である。
【図１５】尾部における切欠きがデバイス表示部の能動領域と対応する、デバイス上に係合された調節可能保持器の一実施形態の斜視図である。
【発明を実施するための形態】
【００２２】
図面において、構成要素の厚さおよび構造は、見やすくするために強調される場合がある。異なる図面における同一の参照番号は、同一の構成要素を表す。図面における破線は、単に例示する目的のものであり、特許請求されるデバイスの一部分を形成するものではない。
【００２３】
以下の説明および図面は、例示的なものであり、限定するものとして解釈されるべきではない。本開示の十分な理解を提供するために、多数の具体的詳細が説明される。しかし、場合によっては、説明を曖昧にすることを避けるために、よく知られたまたは慣習的な詳細は説明されない。本開示における１つの実施形態または一実施形態への言及は、必ずではないが、同一の実施形態への言及でありえ、また、そのような言及は、実施形態のうちの少なくとも１つを指す。
【００２４】
本明細書における「１つの実施形態」または「一実施形態」への言及は、その実施形態に関連して説明される具体的な特徴、構造、または特性が、本開示の少なくとも１つの実施形態に含まれることを意味する。本明細書の様々な箇所における「１つの実施形態において」という語句の出現は、必ずしも全てが同一の実施形態に言及するものではないし、他の実施形態の相互排他的な独立したまたは代替的な実施形態でもない。さらに、一部の実施形態によって提示され他の実施形態によっては提示されえない様々な特徴が説明される。同様に、一部の実施形態にとっては必要条件であるが他の実施形態にとってはそうでない場合がある様々な必要条件が説明される。
【００２５】
本明細書において使用される用語は一般に、本開示の中で、また、各用語が使用される特定の文脈において、当技術分野におけるそれらの通常の意味を有する。本開示を説明するのに使用されるいくつかの用語は、本開示の記述に関する実践者にさらなる手引きを与えるために、以下でまたは本明細書の他の部分で論じられる。便宜上、いくつかの用語は、例えばイタリック体および／または引用符を使用して強調されうる。強調表示の使用は、用語の範囲および意味に影響を与えるものではない。用語の範囲および意味は、強調されているかどうかにかかわらず、同一の文脈においては同じである。１つ以上の方法で同じことが言えることが理解されるであろう。
【００２６】
したがって、本明細書において論じられる用語のうちのいずれか１つまたは複数に対して代替的な言語および同義語が使用される場合があり、用語が本明細書において詳述されるまたは論じられるかどうかにかかわらず、何らかの特別な意義が課せられることはない。いくつかの用語に対する同義語が与えられる。１つまたは複数の同義語の記述は、他の同義語の使用を排除するものではない。本明細書において論ぜられる任意の用語の用例を含む本明細書のいずこかでの用例の使用は、単に例示的なものであり、本開示の範囲および意図、または例示された任意の用語の範囲および意味をさらに限定するようには意図されていない。同様に、本開示は、本明細書に提示された様々な実施形態に限定されるものではない。
【００２７】
本開示の範囲を限定する意図なしに、本開示の実施形態による機器、装置、方法の例およびそれらの関連結果が以下に提示される。例において使用されうる見出しまたは副見出しは、読者の便宜のためのものであり、決して本開示の範囲を限定するものではないことに留意されたい。
【００２８】
開示される技術は、１つのデバイスを別の表面と接続、結合、または合体する、万能取付けシステムに関する。具体的には、技術は、ポータブルテクノロジーをそれがハンズフリーで使用されうるように基板に取り付けることに関する。主なユースケースは、限定として解釈されるべきではないが、携帯電話機などのハンドヘルドデバイスを自転車のハンドルバーのような円筒形表面に接続することを伴う。この機構および実現態様のより詳細な説明が、以下で説明される。
【００２９】
図１は、調節可能取付け具の１つの実施形態の左側面図を示す。調節可能取付け具は、押出し尾部２を含む主本体１から成る。使用に際して、部品の本体１は、円筒形表面が部品内の円形切欠き１０の中に収まるように、円筒形表面上に配置される。次いで尾部２は、最初にデバイスの前フック３に達するまで、表面に巻き付く。尾部２は、本体１の溝形模様付き上面９上に巻き付き続けて、金属インサートの後フック４に接続する。この尾部２は、それがインサートと接触する位置である部位５および６において補強される。部位５、６における横方向補強は、尾部が調節可能取付け具を取り付けるためにフックと相互作用するように構成される場合のものである。尾部の取り扱いを容易にするために、尾部は、使用し易くするための拡大されたサムグリップ７を含む。同様に、この実施形態は、より一貫した表面への巻き付きを確実とするために、半円形起伏チャネル８を含む。小型の物体に対するより効果的な把持およびてこの力を可能にするように掛合される前フックの下側１１から、追加の実用性が得られる。例えば、下フック１１およびインサートナブ１２は、ビール瓶、清涼飲料などの瓶詰め商品の容易な開口を可能にするように一緒に機能する。
【００３０】
図２Ａは、同一の実施形態の上面図を示し、かつ、この巻き付きフックシステムのより詳細な図を提供する。部品の尾部付属部分は、より効果的な製造可能性、ならびにフック付きインサートの前後のフック（４および３）への接続を可能にするために、３つの切欠き１４、１５、１６を伴う。尾部の第１の接続部位５は、部品が取り付けられる円筒形表面２０に巻き付くことにより、部品の前フック３に接続する。接続部位の位置および数は異なっていてもよく、本開示に存在する記述または例示によって制限されるべきではない。代替的実施形態では、多様な表面への調整またはより効果的な接続を可能にするために、多くの接続部位が存在しうる。同様に、複数のデバイス、表面、または他の物体を合体させるために、複数のフックが存在しうる。
【００３１】
第２の切欠き１５は、尾部の第２の接続部位６で終端する。この切欠きは、それが固定するデバイスの視程を覆うまたは遮ることがないように、最適に位置決めされる。代替的実施形態では、前述の切欠きの寸法、形状、および構成は、より特異的かつより広範にデバイスを収容するように調整されうる。さらに、尾部２の厚さ、寸法、および幾何形状は、強度、弾性、抵抗性、重量、可搬性などを含むがこれらに限定されない様々な特性を高めるように調整されうる。示された実施形態では、第２の切欠き１５は、特にＡｐｐｌｅ  ｉＰｈｏｎｅなどのデバイス上にメニュー制御のための窓を提供するためのサイズとなされている。図１５に示されるように、第２の切欠き１５は、電話機上のメニューが現れる場所に配向されて、デバイスの操作への調節可能取付け具の干渉を最小限にしうる。第２の接続部位６は、後フック４の下側を輪で囲んで反対方向に引っ張ることにより、後フック４に直接取り付く。しかし、この接続を生じさせるための手段はまた、代替的実施形態においては異なりうる。よりきつい嵌合い、かみ合い構成要素、または代替的な接続機構が、尾部およびフックを一緒に固定するために用いられうる。
【００３２】
場合によっては、様々なサイズのデバイスを収容するために、調整性が必要とされうる。ここでは、第３の切欠き１６が、第１の接続部位５と尾部２が後フック４と出会う所との間の部位までの長さを延長するために使用されうる追加の接続部位を提供する。他のバージョンでは、適応性を高めるために、多くの追加の接続部位が存在しうる。同様に、切欠きのサイズおよび支持材料の量は、調整されうる。尾部の遠端には、尾部のより良好な把持および操作を可能にするように設計された突出部７がある。ここでは、通し番号やロゴなどの文字、商標、または他の印を配置することができる平坦なあるいは開けた表面１９が存在しうる。あるいは、デバイスの操作をさらに向上させるために、前述の表面上に追加の把持部が設置されてもよい。同様の表面１８が、部品の本体上に存在する。
【００３３】
図２Ａはまた、デバイスを所定の位置に固定するために追加のハードウェアが配置されうる２つのスロット１４の位置を示す。与えられた図面では、前述のスロットは、隣り合わせで互いに平行に位置決めされている。しかし、代替的なバージョンでは、そのような取付け特徴は、それらが固定しようとする表面によりよく適応するために、任意の数、サイズ、および配向のものとされうる。それらはまた、穴、切欠き、またはスロット以外の他の要素として存在しうる。
【００３４】
図２Ｂは、モバイルコンピューティングデバイスなどのポータブルデバイスの配置を明らかにすることにより、図２Ａに示されたデバイスの上面図を提供する。示された実施形態では、デバイスは、尾部２がそれに巻き付いて固定することができるように、本体１上にぴったりと配置される。溝形模様９は、前述のデバイスをよりよく固定するためのグリップを提供し、かつ、正方形、円形、線形、切欠き、またはデバイスへの接続をより促進するように意図された任意の幾何形状で構成されうる。同様に、添付の図面は、溝形模様９の位置を本体１の上面にあるように示しているが、前述の溝形模様は、本体１、尾部２、本体が表面と出会う円形アンダカット１０、または他の箇所を含むがこれらに限定されない任意の位置に存在してもよい。さらに、これらのグリップおよび溝形模様は、デバイスをよりしっかりと保持するために、吸盤などのより複雑な幾何学的要素で構成されてもよい。代替的なバージョンでは、多数のまたは少数の溝形模様があってもよく、それらは着脱可能であってもよい。
【００３５】
図３Ａは、図１および２Ａに示された実施形態の正面図である。図に示されるように、調節可能保持器は、取付け具１の本体および表面２０の両方に外部ハードウェアを固定する機会を与える、スロット付き切欠き−２２を含む。開示された実施形態では、スロット１４は、ユニットの上面からアクセス可能であり、４つの切欠き２２を通じて基部から抜ける。しかし、異なるバージョンでは、これらの取付け点は、上面または底面からのみ（必ずしも両方からではない）アクセス可能とされうる。同様に、それらは、スナップ嵌め、接続継ぎ手、フック、ロック機構、硬化構成要素などを含むがこれらに限定されない特別注文の機械的接続部の使用を伴いうる。
【００３６】
図３Ａには、取付け具の尾部２を入れ子にしかつ／または格納するように意図された２つの前面溝２１も示されている。尾部は、巻き付けられると、これらの溝内に位置して、本体１の表面と同一平面になり、そこで、より流線形で洗練された見た目に美しい形状を作り出す。異なるバージョンでは、これらの入れ子／接続特徴２１の深さ、幾何学的形状、尾部との接続手段、および数は異なりうるが、本開示の分析に含まれるべきである。図３Ｂは、図３Ａの描写の幅を広げて、ハンドヘルドデバイス２３および表面２０の１つの可能な配置を明らかにする。図４はさらに、外部ハードウェアとの組み合わせでの調節可能取付け具の有用性を明らかにする。ここでは、ストラップまたは固定機構２５が、取付け具の本体１上のスロットに差し込まれ、その基部にある切欠き２２を通じて突出し、円筒形表面２０に巻き付いて、取付け具および表面をしっかりと合体させる。代替的実施形態では、この接続を生じさせるための手段は異なる場合があり、可撓性の接続ハードウェア、硬いもしくは剛体の接続ハードウェア、特別注文の接続ハードウェア、または、取付け具と表面、取付け具とデバイス、もしくは取付け具と表面とデバイスのいずれかを合体させる他の手段に包括的に適応すべきである。本明細書において、デバイスという用語は、上述の表面または取付け具に接続されるように意図された任意の部品、構成要素、または部分品を含む。
【００３７】
図４は、表面およびデバイスを接続するためにそれらに尾部２が巻き付けられた調節可能取付け具の一実施形態の側面図を示す。ここでは、尾部は最初に、取付け具の前フック３に巻き付いてそれに接続する。このようにして、尾部は、取付け具を表面２０に固定するが、表面２０は、任意の幾何学的形状または有機的形状をとりうる。次いで、尾部は、デバイス２３を取付け具に固定するために、前述のデバイスに巻き付く。この接続は、尾部２が取付け具の後フック４および補強接続部位６に取り付いたときに可能となる。図５で明らかにされた巻き付き接続機構は、様々な実装態様で現れうる。１つのバージョンでは、尾部は、しっかりとした接続を確実とするために、可撓性とされ、その材料の固有の弾性に依存しうる。別のバージョンでは、ラチェット、止め金、またはてこの機構が、この接続を促進して生じさせうる。より堅固な取付けを生じさせるために、特別注文の嵌合い構成要素が使用されてもよく、また、尾部が前後のフック（それぞれ３および４）と出会う位置である接続部位６は、別材料の追加、支持特徴および別体ハードウェアの包括、代替的なフック機構の使用などを含むがこれらに限定されない任意の様々な手段によって補強されてもよい。
【００３８】
なおもさらに、この巻き付きシステムは、任意の数の個別的な構成要素および表面を固定することができる。例えば、尾部の巻き付きは、本体の前フック３のみに接続してもよい。その場合、尾部は、取付け具のみを表面２０に固定しうる。あるいは、尾部は、本体１の前部を起点として、デバイス上にのみ巻き付き、表面には巻き付かなくてもよい。この場合、取付け具は、デバイスを所定の位置に保持するが、取付け具を表面に接続する外部のハードウェアまたは代替方法に依存する。
【００３９】
図６は、尾部２９がユニットの前部から延びてデバイス２３だけに巻き付く１つのそのような実施形態の側面図を示す。ここでは、スロット付きの切欠き２７、３３が、取付け具の本体を表面２０に接続するための外部ハードウェアを挿入する手段を提供する。表面２０およびデバイス２３の両方に尾部が接触する上述の実施形態のように、尾部の曲り、巻き付き、および操作をより良好に可能とするために、小チャネル２３が存在する。この切欠きは、スロット、チャネル、くぼみ、代替材料、または、フックおよびピボット、ヒンジなどのような類似の機械的特徴を含むがこれらに限定されない任意の様々な形で存在しうる。図６の実施形態では、取付け具の表面よりも上方に隆起された前フック２６が存在する。これは、尾部が固定されるフックの代替的実施形態を示す。この図では、隆起したフックは、接続がなされるときにより効率的な尾部へのアクセス手段を提供する。とりわけ、表面が取付け具と平行にまたは同一直線上に延在する状況では、このアクセスの容易さは特に望ましい。
【００４０】
図７Ａおよび７Ｂはどちらも、取付け具が表面に対して位置決めされるときの取付け具の下面図を示す。図７Ａでは、取付け具は、表面に直角または垂直に取り付けられる。円筒形表面２０は、円筒形切欠き３１に接して位置し、かつ、外部ハードウェアが接続されうる取付け点を提供する４つの隅部スロット２７に取り囲まれる。図７Ｂは、同様の状況を示すが、ここでは取付け具は表面２０に平行に位置合わせされている。その直角の配置のように、表面は、前述の表面を収容するように設計された凹部３１内に位置しうる。しかし、この凹部の設計、構成、質感、および幾何学的形状は、あらゆる形で具体化しうる。凹部は、溝形模様、切欠き、スロット、チャネル、グリップ、または表面と相互作用するための任意の様々な要素を含みうる。同様に、凹部は、任意の深さのものであってよく、または、存在すらしなくてもよい。添付の図面は、表面に対する取付け具の２つの可能性のある配向を示すが、代替的実施形態は、角度、ピッチ、深さなどに関して任意の相対配向を可能にしうることも注目に値する。また、取付けハードウェア２５は、表面と取付け具を接続するために表面に垂直に延びるように示されているが、特徴の任意の配向および構成が、追加のハードウェアの使用を可能とするために存在しうる。この使用は、表面への取付け具の接続、デバイスへの取付け具の接続、またはより優れた有用性のための取付け具自体の変更を含むが、これらに限定されない。
【００４１】
図８Ａおよび８Ｂは、図６および７Ａにおける実施形態の特徴をさらに示すための等角図を提供する。図８は、前方右側底面等角図である。ここでは、２つの交差チャネル３１および３０が垂直に交差して、取付け具に対する表面の平行または直角の位置決めを可能にする。スロット穴２７が、これらのスロットの交差によって作られた頂点に組み込まれる。それらは、ジップタイ、ストラップ、クランプ、ボルト、ナット、ねじなどを含むがこれらに限定されない外部ハードウェアの使用に適応するように位置決めされる。それらは、より多いまたはより少ない数で存在してもよく、また、チャネル３０および３１に対して様々な位置をとることができる。図８Ａはまた、図２Ａの実施形態における調整可能な接続部位と一致する、調整可能な接続機構２９を明らかにする。ここでは、追加の切欠きが、交差スラット２９または後接続部位３６に接して位置する２つの位置のどちらかで尾部をフックに掛合する手段を提供する。これらのまたは追加の接続部位の間では、任意の数、サイズ、幾何形状、および位置が存在しうる。
【００４２】
図８Ｂは、図８Ａにおける実施形態の後方上面右側等角図であり、部品のフック２６およびハードウェアスロット３３についてより詳細な図を提供する。ここでは、スロット３３は、４つの通り穴２７のそれぞれと接続するので、矩形の凹部を作る。しかし、これらの凹部の構成および配置は、通り穴の位置によって決まらなくてもよい。さらに、それらは、平行とされるか、交差されるか、あるいは他の方法でデバイスの有用性および美観を高めるように構成されてもよい。図８Ｂはまた、取付け具に接続されたデバイスにアクセスしてそのデバイスとやりとりするための手段を提供するように意図された、尾部内の視界窓３５を明らかにする。図９は、図７から１０において具体化された取付け具の本体に対するそのようなデバイス２３の１つの可能な位置を示す。図９はまた、さもなければ平坦な表面から利益を得る文字、商標化材料、意匠要素、電子的構成要素、または任意の他の特徴を含むための表面として使用されうる余白の位置を示す。
【００４３】
図１０は、ハンドヘルドデバイス２３および接続ハードウェアの部分品とともに使用されるときの図７〜９における実施形態の左側面図である。図１〜６における実施形態のように、デバイス２３は、前フック２６に巻き付いて接続する尾部により、所定の位置に固定される。しかし、代替的実施形態とは異なり、この図は、外部ハードウェア２５だけを用いて取付け具を表面に接続する手段を示す。ここでは、ハードウェアは、取付け具の表面上のスロット３３を通して接続されて表面２０に巻き付き、それらを合体させる。
【００４４】
図１１Ａは、取付け具に差し込まれる構成要素の詳細な図であり、フックを部品に組み込めるようにするための１つの手段を明らかにする。この実施形態では、インサートは、取付け具と最も効果的に適合するように湾曲された単一のユニットで構成される。アーチ形湾曲部４０が、取付け具本体に存在する表面アンダカット１０に適合する。直線状でない輪郭が、１つまたは複数の側の材料でそれ自体を取り囲むことにより、インサートが取付け具の本体内により良好に入れ子になることを可能とする。さらに、いくつかの枢支点１２および４１が、尾部または類似の特徴がインサートに掛合または接続されたときのように、一端に力が加えられたときにインサートをそれ自体に対して枢動させる。例えば、上記で明らかにされた取付け具の尾部が後フック４２に接続された場合、力のうちの一部は後ピボット４１に分散されることになり、それによりインサート全体を周囲の材料から外すのではなく、後フックを曲げさせる。前フックに適用される場合には、ピボット３９についても同じことが言える。
【００４５】
図１１Ｂは、図１１におけるインサートの右側面図を提供する。ここでは、部品の輪郭は、最も明瞭に図示されており、インサートの外形がいかにして型自体の外形に適合しうるかを示す。この図はまた、別体のインサートの使用によって提供される追加の多用途性を伝える。例えば、前フックの下の湾曲した面１１は、インサートの基部１２に対するてこ点を作る。このてこは、瓶の開口、自転車の修理、および追加のてこの力を必要とする他の状況を含むがこれらに限定されない有用な機能性を提供する。
【００４６】
図１３〜１５は、使用中の調節可能取付け具を示す。図１３では、調節可能取付け具は、自転車のハンドルバーでありうる円筒形の物体に巻き付けられて示されている。図１４では、調節可能取付け具は、デバイスを保持して示されている。図１５では、調節可能取付け具は、第２の切欠きがｉｐｈｏｎｅ上のメニュー機能と一致して位置決めされた状態で示されている。
【００４７】
しかし、代替的実施形態では、この同一のてこの力は必要とされない場合がある。さらに、２つではなく１つのフックのみが必要とされる場合では、異なる幾何形状が最適でありうる。図１２は、図７〜１０における取付け具の一実施形態と適合する、単一のフックの付いた１つのそのような実施形態を明らかにする。ここでは、フックは、掛合される内容物へのより良好なアクセスを可能とするために、取付け具の表面およびインサートの基部から上方に湾曲する。また、インサートが懸下される材料へのインサートのより良好な接続を助長するために、リブが追加される。この接続は、リブ、穴、特定の幾何形状、または、ねじ、ボルト、ねじ山、ワイヤなどを含むがこれらに限定されない外部締結具の使用などの様々な方法で現れうる。最後に、記載されたインサートの幾何形状は、大部分は二次元的なものであるが、代替的実施形態ではそうである必要はない。大部分が二次元的な幾何形状は、一部の製造工程に合わせて最適化されるが、前述のインサートの製作は、押出し、機械加工、成形、打抜き加工、加法的製作工程、減法的製作工程などを含む、任意の数の工程を伴いうる。さらに、代替的実施形態は、使用者の体験を高めるために、追加の作用および次元性を含みうる。ロッキングフック、スナップフック、丸みを帯びたエッジ、電子的な機能性を伴うインサート、および取り外し可能または調整可能なインサートは、前述のインサートがとりうる可能な体現形態のうちの一部である。
【００４８】
特定の実施形態を参照しながら、調節可能取付け具の実施形態が開示されてきたが、添付の特許請求の範囲で定義される本開示の本領および範囲から逸脱することなく、説明された実施形態に対する多数の修正、改変、および変更が可能である。したがって、調節可能取付け具の実施形態は、説明された実施形態に限定されるものではなく、以下の特許請求の範囲の文言、およびその均等物によって定義される全ての範囲を含む。
〔態様１〕
第１および第２のフックを有する本体と、
前記本体に取り付けられる尾部とを備え、前記尾部が、前記第１および第２のフックに取り付くように構成され、前記第１のフックが、第１の方向における突出部を有し、前記第１の方向が、前記本体の第１の側に向き、前記第２のフックが、第２の方向における第２の突出部を有し、前記第２の方向が、前記本体の第２の側の方向であり、前記本体の前記第１の側が、前記本体の前記第２の側に対向する、調節可能取付け具。
〔態様２〕
前記尾部が、第１、第２、および第３の切欠きを含み、前記第１、第２、および第３の切欠きが、前記第１および第２のフックが前記尾部を掛合するための領域を提供する、態様１に記載の調節可能取付け具。
〔態様３〕
前記第２の切欠きが、前記尾部が前記フックと係合されたときに前記調節可能取付け具が保持するデバイスの操作を妨げないように位置決めされる、態様２に記載の調節可能取付け具。
〔態様４〕
前記第２の切欠きが、前記尾部が前記フックと係合されたときに前記調節可能取付け具が保持する電子デバイスのタッチメニューインタフェースと一致するように位置決めされる、態様２に記載の調節可能取付け具。
〔態様５〕
前記本体の前記第１の側が、半円形起伏部を有する、態様１に記載の調節可能取付け具。
〔態様６〕
前記半円形起伏部が、自転車のハンドルバーと適合するように構成される、態様５に記載の調節可能取付け具。
〔態様７〕
前記調節可能取付け具が、第１の構成および第２の構成を有するように構成され、前記第１の構成が、前記第１の側が第１の物体に係合し、前記尾部が前記第１の物体に巻き付いて前記第１のフックに係合し、前記第２の側が第２の物体に係合し、前記尾部が前記第２の物体に巻き付いて前記第２のフックに係合して、前記第１および第２の物体が前記調節可能取付け具により一緒に保持されることを特徴とし、前記第２の構成が、前記尾部が前記第１および第２のフックに係合せずに、前記第１および第２の物体が一緒に保持されないことを特徴とする、態様２に記載の調節可能取付け具。
〔態様８〕
前記尾部の一端が、把持に適した突出部を含む、態様１に記載の調節可能取付け具。
〔態様９〕
前記本体の前記第２の側が、把持のための溝形模様を含む、態様１に記載の調節可能取付け具。
〔態様１０〕
前記本体が、締結具を用いて前記調節可能取付け具を表面に機械的に取り付けるためのスロットを含む、態様１に記載の調節可能取付け具。
〔態様１１〕
前記尾部が、前記第１の構成にあるときに伸長して前記第１および第２の物体に張力を加えるように構成される、態様７に記載の調節可能取付け具。
〔態様１２〕
前記本体が、第３および第４の側を含み、前記第１のフックが前記第３の側から突出し、前記第２のフックが前記第４の側から突出する、態様１に記載の調節可能取付け具。
〔態様１３〕
前記本体の前記第１および第２の側が、前記本体の前記第３および第４の側に対してほぼ垂直である、態様１２に記載の調節可能取付け具。
〔態様１４〕
前記尾部が、前記本体の第４の側から突出する、態様１３に記載の調節可能取付け具。
〔態様１５〕
前記第３および第４の側が、前記本体上で互いに対向する、態様１４に記載の調節可能取付け具。
〔態様１６〕
前記尾部が、前記本体に２回巻き付くのに必要な長さ未満の長さを有する、態様１５に記載の調節可能取付け具。
〔態様１７〕
２つの物体を取り付ける方法であって、
調節可能取付け具を用意するステップと、
前記調節可能取付け具の第１の側上に第１の物体を配置するステップと、
前記調節可能取付け具の尾部を第１のフックまで前記第１の物体に巻き付けるステップと、
前記第１のフックを前記尾部と係合させるステップと、
前記調節可能取付け具の第２の側上に第２の物体を配置するステップと、
前記調節可能取付け具の前記尾部を第２のフックまで前記第２の物体に巻き付けるステップと、
前記第２のフックを前記尾部と係合させるステップと
を含む、方法。
〔態様１８〕
前記第１および第２の物体への巻き付けおよび係合の一部として前記尾部を伸長させるステップ
をさらに含む、態様１７に記載の方法。
〔態様１９〕
電子デバイスである前記第２の物体のタッチインタフェースメニューへのアクセスを提供するための位置に前記尾部の切欠き領域があるように、前記切欠き領域を前記第２の物体上に位置決めするステップ
をさらに含む、態様１７に記載の方法。
〔態様２０〕
前記第１の側が、円筒形凹部を有し、円筒形状を受け入れるように構成される、態様１７に記載の方法。
【図１】
0006498666.tif 000002
【図２Ａ】
0006498666.tif 000003
【図２Ｂ】
0006498666.tif 000004
【図３Ａ】
0006498666.tif 000005
【図３Ｂ】
0006498666.tif 000006
【図４】
0006498666.tif 000007
【図５】
0006498666.tif 000008
【図６】
0006498666.tif 000009
【図７Ａ】
0006498666.tif 000010
【図７Ｂ】
0006498666.tif 000011
【図８Ａ】
0006498666.tif 000012
【図８Ｂ】
0006498666.tif 000013
【図９】
0006498666.tif 000014
【図１０】
0006498666.tif 000015
【図１１Ａ】
0006498666.tif 000016
【図１１Ｂ】
0006498666.tif 000017
【図１２】
0006498666.tif 000018
【図１３】
0006498666.tif 000019
【図１４】
0006498666.tif 000020
【図１５】
0006498666.tif 000021